(57)【要約】【課題】筐体を取り付ける場所が狭い場合などであっても、筐体を容易に設置面に取り付けることができること。【解決手段】固定装置は、取り付け部２０ａ、２０ｂと、取り付け部付属穴（取り付け孔）２３ａ、２３ｂと、支持部３１ａ、３１ｂと、支持部付属穴３３ａ、３３ｂ（支持孔）と、連結部４０ａ、４０ｂとを備えている。取り付け部２０ａ、２０ｂは、筺体１０に装着される。取り付け部付属穴２３ａ、２３ｂは、取り付け部２０ａ、２０ｂに設けられている。支持部３１ａ、３１ｂは、設置面９０に装着され筺体１０を支持する。支持部付属穴３３ａ、３３ｂは、支持部３１ａ、３１ｂに設けられている。連結部４０ａ、４０ｂは、取り付け部２０ａ、２０ｂと支持部３１ａ、３１ｂとを連結する。そして、連結部４０ａ、４０ｂの挿入方向は設置面９０に略平行である。【選択図】      図１
2014146720.tif 000002
【特許請求の範囲】
【請求項１】
筺体に装着される取り付け部と
前記取り付け部に設けられた取り付け孔と、
設置面に装着され前記筺体を支持する支持部と、
前記支持部に設けられた支持孔と、
前記取り付け部と前記支持部とを連結する連結部とを備え、
前記取り付け孔と前記支持孔とへ前記連結部を挿入することで前記取り付け部と前記支持部とを連結する固定装置であって、
前記連結部の挿入方向は前記設置面に略平行であることを特徴とする、
固定装置。
【請求項２】
前記取り付け部と前記支持部と前記連結部との組は、一つの前記筺体に対して少なくとも二個が、対向して設けられ、
前記連結部は前記二個の取付け部を結ぶ線に略平行な方向へ挿入されることを特徴とする請求項１に記載の固定装置。
【請求項３】
前記取り付け部に設けられた第１の係合部と、
前記支持部に設けられ、前記第１の係合部と互いに係合する第２の係合部とを備え、
前記第１の係合部と前記第２の係合部が互いに係合することによって、前記取り付け部が
前記支持部に支持される請求項１〜２のいずれか１項に記載の固定装置。
【請求項４】
前記取り付け部または前記支持部に設けられ、前記取り付け部を前記支持部に取り付ける位置を決めるための位置決めガイド部を備えた請求項１〜３のいずれか１項に記載の固定装置。
【請求項５】
前記筐体から前記取り付け部と異なる方向に突出して設けられた取っ手部を備えた請求項１〜４のいずれか１項に記載の固定装置。
【請求項６】
前記設置面に互いに隣接して取り付けられた複数の前記支持部を備え、
複数の前記連結部を、複数の前記筐体各々に装着された前記取り付け部の前記取り付け孔と、前記複数の前記支持部の前記支持孔とに各々挿入することにより、
複数の前記筐体が、前記複数の支持部に各々連結される、
請求項１〜５のいずれか１項に記載の固定装置。
【発明の詳細な説明】
【技術分野】
【０００１】
本発明は、固定装置に関し、例えば、電子部品等を収容する筐体を壁面などの設置面に取り付ける固定装置に関する。
【背景技術】
【０００２】
近年、通信機器やコンピュータや音響機器などの電子装置は、幅広い用途に用いられており、様々な場所に設置されている。
【０００３】
特許文献１には、音響機器の取り付け金具の技術として、２つのＬ字状の取り付け金具を用いて、音響機器の筐体を設置面であるパネルにネジによって取り付ける技術が、開示されている。この技術では、２つのＬ字状の取り付け金具の水平部を筐体の上面と下面にネジ止めによって取り付ける。また、さらに２つのＬ字状の取り付け金具の垂直部をパネルにネジ止めによって取り付ける。
【先行技術文献】
【特許文献】
【０００４】
【特許文献１】実開昭６１−４４８１号公報
【発明の概要】
【発明が解決しようとする課題】
【０００５】
しかしながら、特許文献１に記載の技術では、設置面であるパネル面に対して、垂直方向および水平方向の双方でネジ留めをしなければならず、筐体を設置面に取り付ける際の作業性が良くないという問題があった。
【０００６】
本発明は、このような事情を鑑みてなされたものであり、筐体を取り付ける場所が狭い場合などであっても、筐体を容易に設置面に取り付けることができる固定装置を提供する。
【課題を解決するための手段】
【０００７】
本発明の固定装置は、筺体に装着される取り付け部と前記取り付け部に設けられた取り付け孔と、設置面に装着され前記筺体を支持する支持部と、前記支持部に設けられた支持孔と、前記取り付け部と前記支持部とを連結する連結部とを備え、前記取り付け孔と前記支持孔とへ前記連結部を挿入することで前記取り付け部と前記支持部とを連結する固定装置であって、前記連結部の挿入方向は前記設置面に略平行である。
【発明の効果】
【０００８】
本発明にかかる固定装置によれば、筐体を取り付ける場所が狭い場合などであっても、筐体を容易に設置面に取り付けることができる。
【図面の簡単な説明】
【０００９】
【図１】本発明の実施の形態における固定装置を用いた筐体の固定構造の構成を示す分解斜視図である。
【図２】図１のＡ部の拡大斜視図である。
【図３】図１のＢ部の拡大斜視図である。
【図４】図１の矢視Ｃを示す図であって、複数の筐体を設置面に取り付けた状態を示す図である。
【図５】図１の矢視Ｄを示す図であって、複数の筐体を設置面に取り付けた状態を示す図である。
【図６】図４のＥ−Ｅ切断面で切断したときの筐体の固定構造を模式的に示す模式断面図である。
【図７】本発明の実施の形態における固定装置を用いた筐体の固定構造の変形例の構成を示す分解斜視図である。
【発明を実施するための形態】
【００１０】
本発明の第１の実施の形態における固定装置を用いた筐体の固定構造の構成について、図に基づいて説明する。
【００１１】
図１は、本発明の実施の形態における固定装置を用いた筐体の固定構造の構成を示す分解斜視図である。図２は、図１のＡ部の拡大斜視図である。図３は、図１のＢ部の拡大斜視図である。図４は、図１の矢視Ｃを示す図であって、複数の筐体を設置面に取り付けた状態を示す図である。図５は、図１の矢視Ｄを示す図であって、複数の筐体を設置面に取り付けた状態を示す図である。図６は、図４のＥ−Ｅ切断面で切断したときの筐体の固定構造を模式的に示す模式断面図である。なお、説明の便宜上、図１、図２、図３、図５および図６には鉛直方向Ｇを示している。
【００１２】
図１〜図６に示されるように、本発明の実施の形態における固定装置を用いた筐体の固定構造は、筐体１０と、取り付け部２０ａ、２０ｂと、保持部３０と、連結部４０ａ、４０ｂを有する。
【００１３】
図１、図４および図６に示されるように、壁面などの設置面９０には、ラダー８０が取り付けられている。また、保持部３０がラダー８０を介して設置面９０に固定されている。さらに、筐体１０が取り付け部２０ａ、２０ｂを介して保持部３０に固定される。なお、保持部３０は、ラダー８０を介さずに、設置面９０に固定されてもよい。すなわち、保持部３０は、設置面９０に直接、固定されてもよい。
【００１４】
以下に各要素の構成を説明する。
【００１５】
まず、筐体１０の構成を説明する。
【００１６】
図１、図４および図６に示されるように、筐体１０は、６面体状に形成されている。ここでは、筐体１０は、電子部品を収容し、通信機器（例えばＬＴＥ（Long Term Evolution）装置）や音響機器やコンピュータなどの電子機器に用いられているものとする。ただし、筐体１０の用途は、電子機器に限定されない。
【００１７】
筐体１０は、互いに向かい合う一対の主面１１ａ、１１ｂを有する。また、筐体１０は、２つの主面１１ａ、１１ｂの間に当該主面１１ａ、１１ｂの外周に沿って設けられた４つの側面１２ａ、１２ｂ、１２ｃ、１２ｄを有する。また、各側面１２ａ、１２ｂ、１２ｃ、１２ｄの面積は、各主面１１ａ、１１ｂの面積よりも、小さくなるように設定されている。ここでは、筐体１０の４つの側面１２ａ、１２ｂ、１２ｃ、１２ｄのうち側面１２ａを、取り付け面とする。この取り付け面（側面１２ａ）は、図１、図４および図６に示されるように、設置面９０と向かい合うように配置される。
【００１８】
図１及び図４に示されるように、主面１１ａ、１１ｂには、複数の放熱フィン１４が設けられている。図１および図５に示されるように、側面１２ｄには、蓋１５が設けられている。この蓋１５を開けることにより、筐体１０の内部を見ることができる。また、図１および図４に示されるように、側面１２ｄには、複数のコネクタ１６が設けられている。このコネクタ１６には、アンテナなどの外部の電子機器（不図示）に接続されたプラグ（不図示）などが接続される。
【００１９】
また、図１および図４に示されるように、取っ手部１３が、筐体１０を構成する面のうちで、取り付け面（側面１２ａ）と向かい合う側面１２ｂ上に突出して設けられている。この取っ手部１３は、筐体１０を持ち運ぶ際や、筐体１０を保持部３０に取り付ける際などに、用いられる。なお、取っ手部１３は、後述の取り付け部２０ａ、２０ｂと異なる方向に突出して設けられている。
【００２０】
以上、筐体１０の構成を説明した。
【００２１】
なお、上述で、筐体１０は、６面体状であると説明した。しかしながら、筐体１０の形状は６面体状に限定されない。また、上記では説明を明確にするために、主面および側面の大小関係を定義したが、これにとらわれない。また、放熱フィン１４やコネクタ１６は、対象とする筺体の用途によって適宜変わったり、無かったりする。
【００２２】
次に、取り付け部２０ａ、２０ｂの構成を説明する。
【００２３】
図１、図２、図３および図６に示されるように、取り付け部２０ａ、２０ｂは、Ｌ字状に形成されている。取り付け部２０ａ、２０ｂは、取り付け面（側面１２ａ）から設置面９０側に突出するように筐体１０にネジ止めによって設けられている。すなわち、図２および図６に示されるように、取り付け部２０ａは、筐体１０にネジ２２ａによって取り付けられている。図３および図６に示されるように、取り付け部２０ｂは、筐体１０にネジ２２ｂによって取り付けられている。なお、取り付け部２０ａ、２０ｂは、筐体１０にネジ２２ａ、２２ｂによって取り付けられることに限定されない。例えば、取り付け部２０ａ、２０ｂは、筐体１０と一体に形成されてもよい。
【００２４】
図６に示されるように、筐体１０の取り付け面（側面１２ａ）と取り付け部２０ａの間には、ブッシュ５０が設けられている。同様に、筐体１０の取り付け面（側面１２ａ）と取り付け部２０ｂの間にも、ブッシュ５０が設けられている。ブッシュ５０は、例えば天然ゴムや合成ゴムなどの弾性部材によって円筒状に形成されている。
【００２５】
図１および図６に示されるように、取り付け部２０ａ、２０ｂは、筐体１０の取り付け面（側面１２ａ）のうちで鉛直方向Ｇの両端部に取り付けられている。取り付け部２０ａ、２０ｂは、後述の保持部３０の支持部３１ａ、３１ｂに取り付けられる。これにより、取り付け部２０ａ、２０ｂは、支持部３１ａ、３１ｂによって支持される。取り付け部２０ａは、筐体１０の上面（側面１２ｃ）側に取り付けられている。取り付け部２０ｂは、筐体１０の下面（側面１２ｄ）側に取り付けられている。
【００２６】
図１、図２および図６に示されるように、取り付け部２０ａには、取り付け部付属穴２３ａが形成されている。同様に、図１、図３および図６に示されるように、取り付け部２０ｂには、取り付け部付属穴２３ｂが形成されている。なお、取り付け部付属穴２３ａ、３ｂは、本発明の取り付け孔に相当する。これら取り付け部付属穴２３ａおよび２３ｂは、図１、図２、図３および図６に示されるように、鉛直方向Ｇに沿って開口されて形成されている。取り付け部２０ａは、後述の支持部付属穴３３ａと重ね合わせられる。そして、連結部４０ａが、設置面９０と略平行な一方向（より具体的には、鉛直方向Ｇ）に沿って、取り付け部付属穴２３ａおよび支持部付属穴３３ａの双方に挿入される。同様に、取り付け部２０ｂは、後述の支持部付属穴３３ｂと重ね合わせられる。そして、連結部４０ｂが、設置面９０と略平行な一方向（より具体的には、鉛直方向Ｇ）に沿って、の双方に挿入される。なお、連結部４０ａ、４０ｂは、取り付け部付属穴２３ｂおよび支持部付属穴３３ｂに２つずつ挿入される。
【００２７】
図１、図２および図６に示されるように、第１の係合部２４ａは、取り付け部２０ａに設けられている。この第１の係合部２４ａは、図６に示されるように、Ｌ字状の取り付け部２０ａのうち、設置面９０側の端部に、鉛直方向Ｇに沿って延出するように、凸状に形成されている。この第１の係合部２４ａは、後述の第２の係合部３４ａと係合することができる。これにより、取り付け部２０ａが支持部３１ａに支持される。
【００２８】
以上、取り付け部２０ａ、２０ｂの構成を説明した。
【００２９】
次に、保持部３０の構成を説明する。
【００３０】
図１に示されるように、保持部３０は、外枠を有する矩形板状に形成されている。保持部３０の上端部（鉛直方向Ｇの上方）と下端部（鉛直方向Ｇの下方）は、設置面９０に固定されたラダー８０にネジ止めによって取り付けられる。すなわち、図１、図２および図６に示されるように、保持部３０の上端部は、ネジ３２ａによって、ラダー８０に取り付けられる。保持部３０の下端部は、ネジ３２ｂによって、ラダー８０に取り付けられる。
【００３１】
図６に示されるように、保持部３０の上端部とラダー８０の間には、ブッシュ５０が設けられている。同様に、保持部３０の下端部とラダー８０の間にも、ブッシュ５０が設けられている。ブッシュ５０は、前述したように、例えば天然ゴムや合成ゴムなどの弾性部材によって円筒状に形成されている。
【００３２】
図１、図２、図３および図６に示されるように、保持部３０は、支持部３１ａ、３１ｂを有する。図１、図２および図６に示されるように、支持部３１ａは、取り付け部２０ａの配置位置に対応して、保持部３０の上部側に設けられている。図１、図３および図６に示されるように、支持部３１ｂは、取り付け部２０ｂの配置位置に対応して、保持部３０の下部側に設けられている。
【００３３】
図１、図２および図６に示されるように、支持部付属穴３３ａが、支持部３１ａに形成されている。同様に、図１、図３および図６に示されるように、支持部付属穴３３ｂは、支持部３１ｂに形成されている。なお、支持部付属穴３３ａ、３３ｂは、本発明の支持孔に相当する。支持部付属穴３３ａは、取り付け部付属穴２３ａと重ね合わせられる。そして、連結部４０ａが、取り付け部付属穴２３ａおよび支持部付属穴３３ａの双方に挿入される。同様に、支持部付属穴３３ｂは、取り付け部付属穴２３ｂと重ね合わせられる。そして、連結部４０ｂが、取り付け部付属穴２３ｂおよび支持部付属穴３３ｂの双方に挿入される。
【００３４】
図１、図２および図６に示されるように、第２の係合部３４ａは、支持部３１ａに設けられている。この第２の係合部３４ａは、支持部３１ａのうち、ラダー８０と向き合う面に、凹状に形成されている。この第２の係合部３４ａは、前述の第１の係合部２４ａと係合することができる。これにより、取り付け部２０ａが支持部３１ａに支持される。
【００３５】
図１および図２に示されるように、一対の位置決めガイド３５ａは、支持部３１ａに設けられている。一対の位置決めガイド３５ａは、図２に示されるように、支持部３１ａの上面に、鉛直方向Ｇの上方に向けて突出するように形成されている。また、この一対の位置決めガイド３５ａの間の距離は、Ｌ字状の取り付け部２０ａのうち、設置面９０側の端部の幅（設置面９０と略平行方向の長さ）よりも僅かに大きくなるように、設定されている。
【００３６】
そして、取り付け部２０ａが支持部３１ａに取り付けられたとき、Ｌ字状の取り付け部２０ａのうちで設置面９０側の端部が、一対の位置決めガイド３５ａの間に配置される。これにより、取り付け部２０ａが、一対の位置決めガイド３５ａにより位置決めされた状態で、支持部３１ａに取り付けられる。また、Ｌ字状の取り付け部２０ａのうちで設置面９０側の端部が、一対の位置決めガイド３５ａの間に配置された際に、支持部付属穴３３ａと取り付け部付属穴２３ａとが互いに重ね合わせられる。
【００３７】
なお、位置決めガイド３５ａは、取り付け部２０ａを支持部３１ａに取り付ける位置を決めるために設けられればよい。したがって、位置決めガイド３５ａの設置場所は、支持部３１ａでなく、取り付け部２０ａであってもよい。
【００３８】
同様に、図１および図３に示されるように、一対の位置決めガイド３５ｂは、支持部３１ｂに設けられている。一対の位置決めガイド３５ｂは、図３に示されるように、支持部３１ｂの上面に、鉛直方向Ｇの上方に向けて突出するように形成されている。また、この一対の位置決めガイド３５ｂの間の距離は、Ｌ字状の取り付け部２０ｂのうち、設置面９０側の端部の幅（設置面９０と略平行方向の長さ）よりも僅かに大きくなるように、設定されている。
【００３９】
そして、取り付け部２０ｂが支持部３１ｂに取り付けられたとき、Ｌ字状の取り付け部２０ｂのうちで設置面９０側の端部が、一対の位置決めガイド３５ｂの間に配置される。これにより、取り付け部２０ｂが、一対の位置決めガイド３５ｂにより位置決めされた状態で、支持部３１ｂに取り付けられる。また、Ｌ字状の取り付け部２０ｂのうちで設置面９０側の端部が、一対の位置決めガイド３５ｂの間に配置された際に、支持部付属穴３３ｂと取り付け部付属穴２３ｂとが互いに重ね合わせられる。
【００４０】
なお、位置決めガイド３５ｂは、取り付け部２０ｂを支持部３１ｂに取り付ける位置を決めるために設けられればよい。したがって、位置決めガイド３５ｂの設置場所は、支持部３１ｂでなく、取り付け部２０ｂであってもよい。
【００４１】
以上、保持部３０の構成を説明した。なお、保持部３０(支持部３１ａ、３１ｂを含む)は一体でなくてもよく、例えば別個の部品でラダー８０や設置面９０に取り付けるものであってもよい。
【００４２】
次に、設置面９０に保持された保持部３０に筐体１０を固定する方法について、図に基づいて説明する。
【００４３】
まず、図１、図２、図３および図６に示されるように、保持部３０を、設置面９０に取り付けられたラダー８０に、ネジ３２ａ、３２ｂを用いて、取り付ける。
【００４４】
次に、取り付け部２０ａ、２０ｂを、筐体１０の取り付け面（側面１２ａ）に、ネジ２２ａ、２２ｂを用いて、取り付ける。
【００４５】
次に、取り付け部２０ａ、２０ｂを支持部３１ａ、３１ｂに取り付ける。このとき、Ｌ字状の取り付け部２０ａのうちで設置面９０側の端部が、一対の位置決めガイド３５ａの間に配置されるように、取り付け部２０ａを支持部３１ａに取り付ける。これにより、取り付け部２０ａが、支持部付属穴３３ａと取り付け部付属穴２３ａとが互いに重ね合わせられるように、一対の位置決めガイド３５ａにより位置決めされた状態で、支持部３１ａに取り付けられる。
【００４６】
同様に、Ｌ字状の取り付け部２０ｂのうちで設置面９０側の端部が、一対の位置決めガイド３５ｂの間に配置されるように、取り付け部２０ｂを支持部３１ｂに取り付ける。これにより、取り付け部２０ｂが、支持部付属穴３３ｂと取り付け部付属穴２３ｂとが互いに重ね合わせられるように、一対の位置決めガイド３５ｂにより位置決めされた状態で、支持部３１ｂに取り付けられる。
【００４７】
このように、一対の位置決めガイド３５ａ、３５ｂを設けたことにより、取り付け部２０ａ、２０ｂを支持部３１ａ、３１ｂに取り付ける位置を簡単に決めることができる。この結果、取り付け部２０ａ、２０ｂを支持部３１ａ、３１ｂに容易に取り付けることができる。すなわち、取り付け部２０ａ、２０ｂを支持部３１ａ、３１ｂに取り付ける作業が簡単になる。
【００４８】
また、筐体１０の取っ手部１３を持ちながら、取り付け部２０ａ、２０ｂを支持部３１ａ、３１ｂに取り付けることができる。これにより、取り付け部２０ａ、２０ｂの取り付け作業性がよくなる。
【００４９】
図６に示されるように、取り付け部２０ａを支持部３１ａに取り付けた際に、凸状の第１の係合部２４ａが凹状の第２の係合部３４ａと互いに係合する。これにより、取り付け部２０ａが支持部３１ａに支持される。この結果、筐体１０が、取り付け部２０ａの第１の係合部２４ａと支持部３１ａの第２の係合部３４ａを介して、保持部３０に保持される。連結部４０ａ、４０ｂを用いて、取り付け部２０ａ、２０ｂを支持部３１ａ、３１ｂに連結する前であっても、筐体１０を設置面９０に取りつけられた保持部３０に固定することができる。したがって、次の連結部４０ａ、４０ｂの締結作業を簡単に行うことができる。すなわち、連結部４０ａ、４０ｂの締結作業において、取っ手部１３を持つなどして筐体１０を保持しながら、連結部４０ａ、４０ｂの締結を行う必要がない。
【００５０】
なお、上記説明では、第１の係合部２４ａは、Ｌ字状の取り付け部２０ａのうち、設置面９０側の端部に、鉛直方向Ｇに沿って延出するように、凸状に形成されていると説明した。また、第２の係合部３４ａは、支持部３１ａのうち、ラダー８０と向き合う面に、凹状に形成されていると説明した。一方、第２の係合部３４ａを、支持部３１ａの上面上に突出するように凸状に形成し、第１の係合部２４ａを、第２の係合部３４ａに対応する位置に開口した穴で形成してもよい。この場合、凸状の第２の係合部３４ａを穴である第１の係合部２４ａに挿入するように、取り付け部２０ａを支持部３１ａに取り付ける。このように構成しても、次の連結部４０ａ、４０ｂの締結作業を簡単に行うことができる。
【００５１】
次に、筐体１０が、取り付け部２０ａの第１の係合部２４ａと支持部３１ａの第２の係合部３４ａを介して、保持部３０に保持されている状態で、連結部４０ａ、４０ｂを設置面９０と平行な一方向（具体的には、鉛直方向Ｇ）に沿って、支持部付属穴３３ａ、３３ｂと取り付け部付属穴２３ａ、２３ｂの双方に挿入して、ネジ締めを行う。これにより、取り付け部２０ａ、２０ｂおよび支持部３１ａ、３１ｂが、連結部４０ａ、４０ｂによって連結される。この結果、筐体１０が、取り付け部２０ａ、２０ｂおよび支持部３１ａ、３１ｂを介して、設置面９０上の保持部３０に固定される。
【００５２】
このとき、図４および図５に示されるように、筐体１０が互いに隣接するように、筐体１０を設置面９０上の保持部３０に固定する場合を想定する。
【００５３】
この場合、図４および図５に示されるように、複数個の保持部３０が、ラダー８０を介して設置面９０に互いに隣接して取り付けられている。また、複数の保持部３０各々の支持部３１ａ、３１ｂは、略同一面上に略一直線に整列されるように設けられている。
【００５４】
そして、複数の筐体１０が、連結部４０ａ、４０ｂによって複数の筐体１０の各々の取り付け部２０ａ、２０ｂを複数の保持部３０各々の支持部３１ａ、３１ｂに取り付けることによって、複数の保持部３０に固定されている。
【００５５】
ここで、本実施形態では、前述の通り、連結部４０ａ、４０ｂを設置面９０と平行な一方向（具体的には、鉛直方向Ｇ）に沿って、支持部付属穴３３ａ、３３ｂと取り付け部付属穴２３ａ、２３ｂの双方に挿入して、ネジ締めを行うことができる。
【００５６】
すなわち、図４および図５に示されるように、筐体１０が互いに隣接されて、筐体１０の設置間隔が狭い場合であっても、筐体１０の配列方向に対して略垂直な方向、つまり取り付け面（側面１２ａ）のうち取り付け部２０ａ、２０ｂが設けられた両端部の中央部を結ぶ方向（鉛直方向Ｇ）に沿って一方向に、連結部４０ａ、４０ｂを支持部付属穴３３ａ、３３ｂと取り付け部付属穴２３ａ、２３ｂの双方に挿入して、ネジ締めを行うことができる。
【００５７】
このように、本実施形態では、筐体１０が互いに隣接されて、筐体１０の設置間隔が狭い場合であっても、筐体１０を保持部３０に容易に取り付けることができる。
【００５８】
以上、設置面９０に保持された保持部３０に筐体１０を固定する方法について、説明した。
【００５９】
次に、本発明の実施の形態における固定装置を用いた筐体の固定構造を説明する。
【００６０】
図７は、本発明の実施の形態における固定装置を用いた筐体の固定構造の変形例の構成を示す分解斜視図である。なお、説明の便宜上、図７には鉛直方向Ｇを示している。
【００６１】
図７に示されるように、本発明の実施の形態における固定装置を用いた筐体の固定構造の変形例は、筐体１０と、取り付け部２０ａ、２０ｂと、保持部３０と、連結部４０ａ、４０ｂを有する。
【００６２】
図７に示されるように、壁面などの設置面９０には、ラダー８０が取り付けられている。また、保持部３０がラダー８０を介して設置面９０に固定されている。さらに、筐体１０が取り付け部２０ａ、２０ｂを介して保持部３０に固定される。なお、保持部３０は、ラダー８０を介さずに、設置面９０に固定されてもよい。すなわち、保持部３０は、設置面９０に直接、固定されてもよい。
【００６３】
ここで、図１と図７を対比する。図１および図７では、筐体１０、取り付け部２０ａ、２０ｂと、保持部３０と、連結部４０ａ、４０ｂおよびラダー８０の各構成は、全て同じである。
【００６４】
ただし、図１と図７は、筐体１０の固定方法で相違する。すなわち、図１では、側面１２ａを取り付け面としていた。具体的には、取り付け面（側面１２ａ）を設置面９０に向けて、ラダー８０を介して設置面９０に固定された保持部３０に、筐体１０を固定している。これに対して、図７では、主面１１ｂを取り付け面としている。具体的には、取り付け面（主面１１ｂ）を設置面９０に向けて、ラダー８０を介して設置面９０に固定された保持部３０に、筐体１０を固定している。
【００６５】
なお、側面１２ａは、前述の通り、２つの主面１１ａ、１１ｂの間に当該主面１１ａ、１１ｂの外周に沿って設けられた４つの側面１２ａ、１２ｂ、１２ｃ、１２ｄのうちの１つである。
【００６６】
また、前述の通り、主面１１ｂの面積は、側面１２ａの面積よりも、大きくなるように設定されている。このため、図１では、取り付け部２０ａ、２０ｂは１組のみ設けられていたのに対して、図７では、取り付け部２０ａ、２０ｂは２組設けられている。これに対応して、図７では、保持部３０も２組設けられている。これに合わせて、支持部３１ａ、３１ｂも２組設けられている。ただし、これら２組の支持部３１ａ、３１ｂを１つの保持部に設けても良い。そして、取り付け部２０ａ、２０ｂの組数はいくつであってもよい。
【００６７】
図７において、筐体１０、取り付け部２０ａ、２０ｂ、保持部３０、支持部３１ａ、３１ｂなどの各部材間の接続関係は、図１〜図６を用いて上述した内容と同様である。したがって、これらの詳しい説明を省略する。
【００６８】
なお、取り付け部２０ａ、２０ｂは、側面１２ａおよび主面１１ｂの双方に取り付けることができるようにしてもよい。これにより、側面１２ａまたは主面１１ｂを取り付け面として、２種類の方法で、筐体１０を保持部３０に取り付けることができる。この場合、側面１２ａは、本発明の取り付け面に相当し、主面１１ｂは、本発明の第２の取り付け面に相当する。このように、側面１２ａまたは主面１１ｂを取り付け面または第２の取り付け面に設定できるようにすることで、筐体１０の設置場所に応じて、設置面９０に対する筐体１０の取り付け向きを変更することができる。
【００６９】
以上の通り、本発明の実施の形態における固定装置は、取り付け部２０ａ、２０ｂと、取り付け部付属穴（取り付け孔）２３ａ、２３ｂと、支持部３１ａ、３１ｂと、支持部付属穴３３ａ、３３ｂ（支持孔）と、連結部４０ａ、４０ｂとを備えている。
【００７０】
取り付け部２０ａ、２０ｂは、筺体１０に装着される。取り付け部付属穴２３ａ、２３ｂは、取り付け部２０ａ、２０ｂに設けられている。支持部３１ａ、３１ｂは、設置面９０に装着され筺体１０を支持する。支持部付属穴３３ａ、３３ｂは、支持部３１ａ、３１ｂに設けられている。連結部４０ａ、４０ｂは、取り付け部２０ａ、２０ｂと支持部３１ａ、３１ｂとを連結する。そして、連結部４０ａ、４０ｂの挿入方向は設置面９０に略平行である。
【００７１】
このように、取り付け部２０ａ、２０ｂには、取り付け部付属穴２３ａ、２３ｂが設けられており、支持部３１ａ、３１ｂには、支持部付属穴３３ａ、３３ｂが設けられている。連結部４０ａ、４０ｂは、取り付け部付属穴２３ａ、２３ｂと支持部付属穴３３ａ、３３ｂの双方に挿入され、取り付け部２０ａ、２０ｂと支持部３１ａ、３１ｂとを連結する。これにより、取り付け部２０ａ、２０ｂが、支持部３１ａ、３１ｂに固定される。この結果、取り付け部２０ａ、２０ｂにと装着された筐体１０が、設置面９０に装着された支持部３１ａ、３１ｂに、固定される。
【００７２】
このとき、連結部４０ａ、４０ｂは、設置面９０と略平行な一方向（より具体的には、鉛直方向Ｇ）に沿って、取り付け部付属穴２３ａ、２３ｂおよび支持部付属穴３３ａ、３３ｂに挿入される。したがって、筐体１０が、当該筐体１０間の隙間が狭い状態で、隣接し合って配置されている場合であっても、一方向に制限された連結部４０ａ、４０ｂの挿入方向を、筐体１０の配列方向と垂直な方向に合わせることで、連結部４０ａ、４０ｂを、取り付け部付属穴２３ａ、２３ｂと支持部付属穴３３ａ、３３ｂの双方に障害物（隣接する筐体１０など）に邪魔されることなく簡単に挿入することができ、取り付け部２０ａ、２０ｂと支持部３１ａ、３１ｂとを連結することができる。このように、本発明によれば、筐体を取り付ける場所が狭い場合などであっても、筐体１０を容易に設置面９０に取り付けることができる。
【００７３】
また、本発明の実施の形態における固定装置において、取り付け部２０ａ、２０ｂと支持部３１ａ、３１ｂと連結部４０ａ、４０ｂとの組は、一つの筺体１０に対して少なくとも二個が、対向して設けられている。このとき、連結部４０ａ、４０ｂは二個の取り付け部２０ａ、２０ｂを結ぶ線に略平行な方向へ挿入される。
【００７４】
このように、取り付け部２０ａ、２０ｂと支持部３１ａ、３１ｂと連結部４０ａ、４０ｂとの組は、一つの筺体１０に対して少なくとも二個が、対向して設けられている。これにより、より確実に筐体１０を容易に設置面に取り付けることができる。また、連結部４０ａ、４０ｂは二個の取り付け部２０ａ、２０ｂを結ぶ線に略平行な方向へ挿入されるように構成されているので、取り付け部２０ａ、２０ｂと支持部３１ａ、３１ｂと連結部４０ａ、４０ｂとの組の実装領域を抑えることができる。
【００７５】
また、本発明の実施の形態における固定装置は、第１の係合部２４ａと、第２の係合部３４ａとを備える。第１の係合部２４ａは、取り付け部２０ａに設けられている。第２の係合部３４ａは、支持部３１ａに設けられ、第１の係合部と互いに係合する。そして、第１の係合部と第２の係合部が互いに係合することによって、取り付け部２０ａ、２０ｂが支持部３１ａ、３１ｂに支持される。
【００７６】
これにより、連結部４０ａ、４０ｂを用いて、取り付け部２０ａ、２０ｂを支持部３１ａ、３１ｂに連結する前であっても、筐体１０を支持部３１ａに仮に固定することができる。したがって、次の連結部４０ａ、４０ｂの締結作業を簡単に行うことができる。すなわち、連結部４０ａ、４０ｂの締結作業において、筐体１０を手で保持しながら、連結部４０ａ、４０ｂの締結を行う必要がないという効果を奏する。
【００７７】
また、本発明の実施の形態における固定装置は、位置決めガイド部３５ａ、３５ｂを備えている。位置決めガイド部３５ａ、３５ｂは、取り付け部２０ａ、２０ｂまたは支持部３１ａ、３１ｂに設けられ、取り付け部２０ａ、２０ｂを支持部３１ａ、３１ｂに取り付ける位置を決めるためのものである。
【００７８】
このような位置決めガイド部３５ａ、３５ｂを設けることにより、取り付け部２０ａ、２０ｂを所定の配置位置に誘導することができる。この結果、取り付け部２０ａ、２０ｂを支持部３１ａ、３１ｂに簡単に取り付けることができる。
【００７９】
また、本発明の実施の形態における固定装置は、取っ手部１３を備えている。取っ手部は、筐体１０から取り付け部２０ａ、２０ｂと異なる方向に突出して設けられている。このため、筐体１０が隙間無く互いに隣接して配置される場合であっても、取っ手部１３を手で掴みながら、取り付け部２０ａ、２０ｂを支持部３１ａ、３１ｂに固定することができる。この結果、作業効率よく取り付け部２０ａ、２０ｂを支持部３１ａ、３１ｂに固定することができ、筐体１０を容易に設置面９０に取り付けることができる。
【００８０】
また、本発明の実施の形態における固定装置は、設置面９０に互いに隣接して取り付けられた複数の支持部３１ａ、３１ｂを備えている。また、複数の連結部４０ａ、４０ｂを、複数の筐体１０各々に装着された取り付け部２０ａ、２０ｂの取り付け部付属穴（取り付け孔）２３ａ、２３ｂと、複数の支持部３１ａ、３１ｂの支持部付属穴３３ａ、３３ｂ（支持孔）とに各々挿入することにより、複数の筐体１０が、複数の支持部３１ａ、３１ｂに各々連結される。
【００８１】
上述の通り、連結部４０ａ、４０ｂは、設置面９０と略平行な一方向（より具体的には、鉛直方向Ｇ）に沿って、取り付け部付属穴２３ａ、２３ｂおよび支持部付属穴３３ａ、３３ｂに挿入される。したがって、複数の筐体１０が、当該筐体１０間の隙間が狭い状態で、隣接し合って配置されている場合であっても、一方向に制限された連結部４０ａ、４０ｂの挿入方向を、筐体１０の配列方向と垂直な方向に合わせることで、連結部４０ａ、４０ｂを、取り付け部付属穴２３ａ、２３ｂと支持部付属穴３３ａ、３３ｂの双方に挿入することができ、取り付け部２０ａ、２０ｂと支持部３１ａ、３１ｂとを連結することができる。したがって、このように、複数の筐体１０の各々が、互いに隣接して取り付けられた複数の保持部３０の各々に固定される場合には、本発明は特に有効である。
【００８２】
なお、第１の係合部２４ａ、第２の係合部３４ａ、位置決めガイド３５ａ、３５ｂおよび取っ手部１２ａは、本発明の筐体の固定装置に含まれなくても、本発明の課題を解決することができる。
【００８３】
なお、各実施の形態の説明では、便宜上、図１、図２、図３、図５、図６および図７に鉛直方向Ｇを示して、各構成を説明した。このとき、設置面９０が鉛直方向Ｇに略平行方向に設けられていると説明した。しかしながら、各構成部品と設置面９０との相対的な位置関係が上述した通りであれば、各実施の形態における発明は、上述した効果を奏する。したがって、設置面９０は鉛直方向Ｇに略平行方向に設けられることに限定されない。
【００８４】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００８５】
１０    筐体
１１ａ、１１ｂ    主面
１２ａ、１２ｂ、１２ｃ、１２ｄ    側面
１２ａ    取り付け面
１３    取っ手部
１４    放熱フィン
１５    蓋
１６    コネクタ
２０ａ、２０ｂ    取り付け部
２３ａ、２３ｂ    取り付け部付属穴
２４ａ    第１の係合部
３０    保持部
３１ａ、３１ｂ    支持部
３３ａ、３３ｂ    支持部付属穴
３４ａ    第２の係合部
３５ａ、３５ｂ    位置決めガイド
４０ａ、４０ｂ    連結部
５０    ブッシュ
８０    ラダー
９０    設置面
【図１】
2014146720.tif 000003
【図２】
2014146720.tif 000004
【図３】
2014146720.tif 000005
【図４】
2014146720.tif 000006
【図５】
2014146720.tif 000007
【図６】
2014146720.tif 000008
【図７】
2014146720.tif 000009